(57)【要約】【課題】  背中や腰等の手が届きにくい患部に人の手を借りずに確実且つ均一に貼ることができるような貼り薬貼付器を提供する。【解決手段】  長手方向の中央部が最も突出するように円弧状に湾曲形成した押付台板１８の表面側の両端部に、貼り薬保持部として面ファスナ２１を取付ける。面ファスナ２１には、貼り薬２０の両端部の裏面側を付着させて保持させるようにする。面ファスナ２１の取り付け位置よりも内側に一対の切欠部２２を幅方向の一端側より形成して設ける。上記切欠部２２の縁の外側となる押付台板１８の裏面側には、切欠部２２を通して押付台板１８の裏面側に入れた貼り薬の表面の粘着面を付着させて保持させる突起部２４を設ける。又、同様に貼り薬の端部を保持させる別の一対の切欠部２３を小さい間隔で設け、裏面側に突起部２４を設け、小型の貼り薬を保持させるようにする。【選択図】図１
0003107535.tif 000002
【実用新案登録請求の範囲】
【請求項１】
所要の長さ及び幅を有し且つ長手方向の中央部が最も突出するように円弧状に湾曲形成した押付台板の凸面となる表面側両端部に、貼り薬の両端側の裏面側を仮りに保持できるようにした貼り薬保持部を設け、更に、上記押付台板の裏面側に取手部を設けたことを特徴とする貼り薬貼付器。
【請求項２】
所要の長さ及び幅を有し且つ長手方向の中央部が最も突出するように円弧状に湾曲形成した押付台板の長手方向両端部分に、貼り薬の両端部を通し得る大きさの切欠部を幅方向に延びるようにそれぞれ設け、且つ該各切欠部の押付台板長手方向の端部側に沿う縁部の裏面側に、上記切欠部を通された貼り薬の両端部を仮りに保持できるようにした貼り薬保持部を設け、更に、上記押付台板の裏面側に取手部を設けたこと特徴とする貼り薬貼付器。
【請求項３】
所要の長さ及び幅を有し且つ長手方向の中央部が最も突出するように円弧状に湾曲形成した押付台板の凸面となる表面側両端部に、貼り薬の両端側の裏面側を仮りに保持できるようにした貼り薬保持部を設けると共に、上記押付台板の両端部に設けた貼付保持部の位置よりも内側となる押付台板の両端部分に、貼り薬の両端部を通し得る大きさの切欠部を幅方向に延びるようにそれぞれ設け、且つ該各切欠部の押付台板長手方向の端部側に沿う縁部の裏面側に、上記切欠部を通された貼り薬の両端部を仮りに保持できるようにした貼り薬保持部を設け、更に、上記押付台板の裏面側に取手部を設けたことを特徴とする貼り薬貼付器。
【考案の詳細な説明】
【技術分野】
【０００１】
本考案は、自分の背中や腰等の手が届きにくい患部に膏薬や湿布薬等の貼り薬を人の手を借りずに貼ることができるようにするための貼り薬貼付器に関するものである。
【背景技術】
【０００２】
一般に膏薬や湿布薬等の貼り薬を自分の腰や背中等の患部に貼り付ける場合には、貼り薬の表面の被覆シートを剥がした後に貼り薬を手で掴んで慎重に患部に貼るようにしているが、把持している部分で貼り薬が手に付着して、患部に貼るときに貼り薬がよじれたり、端縁部が折れ曲がった状態で貼付されてしまうことがあり、又、手が届きにくいところの患部に貼るときには、患部からずれた位置に貼付されてしまうことがある。そのため、特に手の届きにくいところの患部に貼るときは、人の手を借りているのが実状である。しかし、周囲に人がいない場合等では、人の手を借りることができないので、１人で貼らなければならず、上記のように手が届きにくいところの患部に１人で確実に貼ることは難しく、そのため、１人では貼りにくいようなところへの貼り薬の貼付を、人の手を借りることなく１人でも簡単に行うことができるようにするものが望まれている。
【０００３】
このような要望に応えようとして、従来、背中や腰等の手が届きにくい患部に貼り薬を人の手を借りずに貼ることができるものとして種々のものが提案されている。図６はその一例を示すもので、２本のローラーを用いるものである。すなわち、アルミニウム板の中間を捩って角度を変えた形状としてあるホルダー１の基端に把持部２を設け、又、該ホルダー１の先端には、ホルダー１と直交するように配置した２本のローラー３ａ，３ｂを平行に取り付け、両ローラー３ａ，３ｂは、表面にゴムや発泡スチロール等の弾性体４を巻回させたものとしてあり、湿布薬の粘着面をローラー３ａの弾性体４の表面に貼り付け、該湿布薬を両ローラーの間を通して先端を下方に引出して垂れ下げておくようにし、この状態で把持部２を手に持ってローラー３ａ，３ｂ側を背中に向けて、湿布薬の先端側の粘着面を背中に押し当ててそのままホルダー１を引き上げることで、湿布薬を背中に押し付けながらローラー３ａ，３ｂを回転させて貼るようにしたものである（たとえば、特許文献１参照）。
【０００４】
又、図７、図８に示すものは他の例を示すもので、柱等に止着して用いるものである。
すなわち、軟質発砲樹脂の如き柔軟で可撓性のある材料が用いられている薬シート保持ブロック５の前面に、ウレタン系粘着ゴム等を用いた粘着シート６を取り付け、上記薬シート保持ブロック５の後部に保持ブロック台座７を固定し、該保持ブロック台座７の後面に、柱等に止着するためゴム磁石等の止着部材８を取り付け、更に、上記保持ブロック台座７の四隅にバネの作用で伸縮する突起部材９を４個設けた構成とし、薬シート１０の背面を粘着シート６に貼り付けた状態で、止着部材８を、予め患部の高さに合わせて柱等に取り付けた止着部材の受側１１に接合させて保持させた後、背中等の患部に突起部材９が接触する刺激を頼りに薬シート１０に背中を押し付けて貼り付けるようにしたものである（たとえば、特許文献２参照）。
【０００５】
更に、図９に示すものは、別の例を示すもので、把持部１２と緩い湾曲形状としてある面１３と補助把持部１４を一体として形成し、該面１３に弾性布綿材１５、布材１６、面ファスナ１７の順に重ねて表面を全面にあたり面ファスナ１７で覆うようにした構成とし、湿布薬の母材シートの裏面を表面全面の面ファスナ１７に押し当てて保持させた状態で、把持部１２と補助把持部１４を持ちながら患部に湿布薬を押し付けて貼り付けるようにしたものである（たとえば、特許文献３参照）。
【０００６】
【特許文献１】特開平１０−５７４１６号公報
【特許文献２】特開２００１−２３８９６５号公報
【特許文献３】特開２００１−１７０１８５号公報
【考案の開示】
【考案が解決しようとする課題】
【０００７】
ところが、特許文献１に記載されているものは、ローラー３ａ，３ｂを回転させながら湿布薬を移動させて貼り付けるようにしたものであり、しかもローラー３ａに湿布薬の粘着面が付着させられているので、湿布薬を患部に円滑に貼付することができないと共に、患部の正確な位置に正しく貼り付けることができないおそれがある。又、湿布薬の粘着面を直接ローラー３ａに貼り付けることから、該ローラ３ａの表面には湿布薬の粘着性が転写されて、ローラ３ａの表面はべとつき易くなる。そのため、ローラー３ａの表側にはごみ等が付着するおそれがあり、又、付着したごみ等が湿布薬に付いて患部に貼られるおそれがあって、衛生的ではなくなると共に、ごみ等の付着で湿布薬の粘着力を低下させるおそれもある。
【０００８】
又、特許文献２に記載されているものは、柱等に止着して用いるようにするものであるため、止着できるような上記柱等が近辺にある必要があり、どのような場所でも使えるものではないという問題がある。又、患部の位置の高さにその都度止着部材の受側１１の設置位置を変更しなくてはならず、薬シート１０を貼り付けるまでに多くの手間を要するとともに、手を使わずに背中の感覚だけで貼り付けるため思い通りに貼り付けることができないという問題もある。
【０００９】
更に、特許文献３に記載されているものは、表面の全面に配置した面ファスナ１７で湿布薬の裏面を全面にわたって貼り付けて保持するようにしたものであるため、面ファスナ１７による湿布薬の保持力が強力となって、患部に湿布薬の粘着面を押し付けて貼り付けようとするときに一様に湿布薬が面ファスナ１７からはがれないおそれがあり、そのため、一旦肌に付着した湿布薬が部分的にはがれてしまったり、折れ曲がってしまったりするおそれがあると考えられる。又、面１３の両端に把持部１２と補助把持部１４が表面に折り曲げられて延長されているために、背中等の平らな面を有する患部に湿布薬を貼り付けようとするとき、湾曲している面１３の両端部分では上記把持部１２と補助把持部１４が患部以外の背中等の部分に当ることから、湿布薬の両端は患部に充分に押し付けられないおそれがあるという問題がある。更に、湿布薬の母材シート自体が面ファスナ１７に付着するもの以外のものには使用することができないという問題もある。
【００１０】
そこで、本考案は、簡単な構造で、且つ取り扱いも簡単で誰でも容易に扱うことができ、しかも確実に背中や腰等の手が届きにくい患部に人の手を借りずに貼ることができるような貼り薬貼付器を提供しようとするものである。
【課題を解決するための手段】
【００１１】
本考案は、上記課題を解決するために、所要の長さ及び幅を有し且つ長手方向の中央部が最も突出するように円弧状に湾曲形成した押付台板の凸面となる表面側両端部に、貼り薬の両端側の裏面側を仮りに保持できるようにした貼り薬保持部を設け、更に、上記押付台板の裏面側に取手部を設けた構成とする。
【００１２】
又、所要の長さ及び幅を有し且つ長手方向の中央部が最も突出するように円弧状に湾曲形成した押付台板の長手方向両端部分に、貼り薬の両端部を通し得る大きさの切欠部を幅方向に延びるようにそれぞれ設け、且つ該各切欠部の押付台板長手方向の端部側に沿う縁部の裏面側に、上記切欠部を通された貼り薬の両端部を仮りに保持できるようにした貼り薬保持部を設け、更に、上記押付台板の裏面側に取手部を設けた構成とする。
【００１３】
更に、所要の長さ及び幅を有し且つ長手方向の中央部が最も突出するように円弧状に湾曲形成した押付台板の凸面となる表面側両端部に、貼り薬の両端側の裏面側を仮りに保持できるようにした貼り薬保持部を設けると共に、上記押付台板の両端部に設けた貼付保持部の位置よりも内側となる押付台板の両端部分に、貼り薬の両端部を通し得る大きさの切欠部を幅方向に延びるようにそれぞれ設け、且つ該各切欠部の押付台板長手方向の端部側に沿う縁部の裏面側に、上記切欠部を通された貼り薬の両端部を仮りに保持できるようにした貼り薬保持部を設け、更に、上記押付台板の裏面側に取手部を設けた構成とする。
【考案の効果】
【００１４】
本考案の貼り薬貼付器によれば、次の如き優れた効果を発揮する。  
（１）長手方向の中央部が最も突出するように円弧状に湾曲形成した押付台板の凸面となる表面側両端部に、貼り薬の両端側の裏面側を仮りに保持できるようにした貼り薬保持部を設けた構成としてあるので、貼り薬の両端部を貼り薬保持部に仮止めしておくだけでよく、したがって、貼り薬を患部に押し当てると、貼り薬は患部への付着力の方が保持部への付着力よりもはるかに大きいので直ちに押付台板の両端の貼り薬保持部から剥がされ、貼り薬が患部から部分的に剥がれてしまったり折れ曲がってしまったりすることなく、全面にわたり均一に患部に貼り付けることができ、肩や背中等の曲面を有する患部にも貼り薬を確実に貼り付けることができる。  
（２）又、押付台板の長手方向両端部分に、貼り薬の両端部を通し得る大きさの一対の切欠部を幅方向に延びるようにそれぞれ設け、且つ該各切欠部の押付台板長手方向の端部側に沿う縁部の裏面側に、上記切欠部を通された貼り薬の両端部を仮りに保持できるようにした貼り薬保持部を設けた構成とすることにより、押付台板の両端部表面の貼り薬保持部に保持できないような貼り薬であっても、貼り薬の表面の端部を確実に仮止めして保持することができ、貼り薬の母材シートの種類を問わずに貼り薬を患部に貼り付けることができる。  
（３）更に、押付台板に設ける切欠部を複数設けて大小サイズの異なる貼り薬を保持できるようにすることにより、患部に応じて異なる大きさの貼り薬を簡単に貼ることができる。
【考案を実施するための最良の形態】
【００１５】
以下、図面に基づき本考案を実施するための最良の形態を説明する。
【００１６】
図１（イ）（ロ）（ハ）、図２及び図３は、本考案の実施の一形態を示すもので、たとえば、市販されている大判（大型）の湿布薬と同じ大きさとなるように、所要の長さ及び幅を有する短形状とした軽量で且つ充分な強度を有する材料、たとえば硬質プラスチック、木材、金属等よりなる押付台板１８を、長手方向の中央部分が最も突出するように円弧状に湾曲させて表面側が凸面状をなす形状として、裏面側の長手方向端部を帯状の取手部１９でつなぎ、該取手部１９を把持して押付台板１８を背中等に押し付けるように取り扱えるようにする。
【００１７】
上記押付台板１８の凸面状となっている表面側の長手方向両端部には、湿布薬等の大型の貼り薬２０の両端部の裏面を仮止めするための貼り薬保持部としての面ファスナ２１を、押付台板１８の幅方向に連続して延びるように、あるいは幅方向に所要間隔で部分的に（図では連続的にした場合を示している）取り付け、貼り薬２０の裏面側を押付台板１８上に載せて、布製母材シートの長手方向両端部のみを、上記両端の面ファスナ２１に付着させることにより、貼り薬２０を押付台板１８に保持させるようにする。
【００１８】
又、上記押付台板１８の長手方向両端部の貼り薬保持部としての面ファスナ２１に近接する位置で且つ面ファスナ２１よりも内側の位置に、図３に押付台板１８を平板状に展開して示している如く、該押付台板１８の幅方向一端から他端の方向へ直線状に延びる所要幅の一対のスリット状の切欠部２２を、それぞれ面ファスナ２１の長さに達する長さとして形成し、該各切欠部２２の外側の面ファスナ２１側の縁部における押付台板１８の裏面側には、該各切欠部２２に沿って複数個所（本実施の形態では４個所）に、裏面側へ突出する突起部（２４）を形成し、該各突起部２４を、貼り薬の仮止め用の保持部とするようにする。
【００１９】
更に、上記押付台板１８の各切欠部２２よりは内側の位置に、市販されている小型の貼り薬用の一対のスリット状の切欠部２３を、上記切欠部２２と同様に押付台板１８の幅方向の一端から他端の方向へ直線状に延ばしてほぼ幅方向中央部までの長さとして形成し、且つ該各切欠部２３の各外側の縁部における押付台板１８の裏面側には、切欠部２３に沿って複数個所（本実施の形態では３個所）に、裏面側へ突出する突起部２４を形成し、該各突起部２４を、貼り薬の仮止め用の保持部とするようにする。
【００２０】
図中、２５は押付台板１８の両端部に形成した一対の切欠部２２の内側に位置する押付台板１８の部分の裏面側を支えるように該押付台板１８の裏面側を取手部１９との間に介在させた補強部材であり、切欠部２２によりその内側の部分が裏面側へ変形し易くなるのを補強部材２５で防止するようにすると共に、取手部１９を把持して押付台板１８を人の背中や腰等に押し付けるときに、取手部１９から補強部材２５を経由して押付台板１８に押付力が作用するようにしてある。
【００２１】
上記構成としてあるので、大型の湿布薬の如く、布製母材シートの表面に薬が塗布されて粘着面とされている貼り薬２０を、背中や腰等の手が届きにくい患部に貼り付ける場合には、図１（イ）（ハ）に示す如く貼り薬２０の粘着面が外側になるように該貼り薬２０の裏面側を押付台板１８の表面に載せ、布製母材シートの両端部を押付台板１８の両端の面ファスナ２１に押し付け、布の繊維を面ファスナ２１に係止させて保持させるようにする。これにより、貼り薬２０は長手方向の両端部のみが面ファスナ２１に仮止めされた状態で保持されることになる。このような状態にしてから、貼り薬２０の粘着面の保護フィルムをはがし、取手部１９を把持して、貼り薬２０とともに押付台板１８を、貼りたい患部位置まで持って行くようにする。次に、取手部１９を持ったまま背中や腰等の患部に貼り薬２０の粘着面を押し当て、押付台板１８を患部に押し付け、且つ表面の円弧面に沿って回転させるようにして押し付ける。これにより、貼り薬２０の表面の粘着面は患部に密着されると同時に、上記押付台板１８の両端の面ファスナ２１に仮りに保持されている該貼り薬２０の裏面の両端部は、表面の粘着面が肌に付着する付着力より弱いので、直ちに押付台板１８の両端の面ファスナ２１からはがされ、貼り薬２０を全面にわたり均一に患部に貼り付けることができる。
【００２２】
又、貼り薬の裏面が面ファスナに付着しないような母材シートが用いられているもので、一般に市販される大型の湿布薬の如き貼り薬２０ａを患部に貼り付けるようにするときは、図４（イ）（ロ）に示す如く、上記貼り薬２０ａの表面の保護フィルムを剥がした後、該貼り薬２０ａを押付台板１８の凸面状の表面に載せ、次いで、該貼り薬２０ａの両端部を切欠部２２に通して、該両端部の表面の粘着面を押付台板１８の裏面に設けてある複数個の突起部２４に軽く押し当て、該貼り薬２０ａの表面の粘着面により各突起部２４に付着させて該貼り薬２０ｂを保持させるようにする。これにより、該貼り薬２０ａは両端部が上記複数個の突起部２４によって部分的に保持されることとなる。その保持力は、貼り薬２０ａを押付台板１８に仮止めする程度のもので、余り強くはない。そのため、該貼り薬２０ａを上述のとおり押し付けることにより、患部に対する貼り薬２０ａの付着力が貼り薬２０ａの突起部２４に対する付着力より勝るため、該貼り薬２０ａは容易に押付台板１８から剥がされて、両端部まで確実に患部に貼り付けることができる。なお、図１（イ）（ハ）で説明した裏面が面ファスナに付着するようになっている貼り薬でも、上記貼り薬２０ａと同様に両端部を保持させるようにすることができる。
【００２３】
同様に、一般に市販される小型の貼り薬２０ｂを患部に貼り付けようとするときは、図４（イ）（ハ）に示す如く、上記貼り薬２０ｂの保護フィルムをはがした後、該貼り薬２０ｂを押付台板１８の表面に載せ、次いで、該貼り薬２０ｂの両端部を切欠部２３に通して、両端部の表面の粘着面を押付台板１８の裏面に設けてある複数個の突起部２４に軽く押し当て、該貼り薬２０ｂの表面を各突起部２４に付着させて仮り保持させるようにする。この状態で、貼り薬２０ｂを患部に全面を押し付けるようにすることにより確実に患部に貼り付けることができ、小型の貼り薬２０ｂでも確実に患部に貼り付けることができる。
【００２４】
上記において、本考案の貼り薬貼付器は、部品点数が少なく極めて簡単な構造となっているために、コストを抑えて製作することができ、且つ、取り扱いが簡単で誰にでも容易に扱うことができる。又、押付台板１８は長手方向になだらかな円弧状に湾曲した凸面を有しているために、該凸面に沿って転がすよう一端から他端まで押し付けることができ、肩や背中等の曲面を有する患部にも確実に貼り薬を貼り付けることができる。
【００２５】
次に、図５（イ）（ロ）は本考案の実施の他の形態を示すもので、図（イ）（ロ）（ハ）と同様に、長手方向の中央部分が突出するように円弧形状に湾曲形成して長手方向の両端部に、貼り薬の保持部としての面ファスナ２１を有し、更に、切欠部２２，２３を形成して、これに対応させて突起部２４を備えた構成としてある押付台板１８の裏面側に、平板状の背面板２７を取り付けて、押付台板１８と背面板２７との間に断面半円形状の空間部２８が形成されるようにし、更に、上記空間部２８の一端側、すなわち、切欠部２２，２３がない方の端部側を半円形状の底板２９で閉塞して、切欠部２２，２３がある他端側が開放された箱型形状の貼付器本体２６を形成する。該貼付器本体２６の空間部２８を開放した他端側には、半円形状の蓋３０を、背面板２７の端縁部に回動可能（折曲げ可能）に取り付け、該蓋３０の舌部３０ａを押付台板１８の端縁部の内側に沿わせて蓋３０を閉じることにより空間部２８が貼り薬の収納部となるようにし、更に、上記背面板２７に取手部１９を取り付けたものである。
【００２６】
この実施の形態によれば、表面側の押付台板１８に対しては、図１（イ）（ロ）、図４（イ）（ロ）（ハ）に示した場合と同様に、大型の湿布薬の如き貼り薬２０や２０ａ、あるいは小型の貼り薬２０ｂを、面ファスナ２１や切欠部２２と突起部２４、あるいは切欠け部２３と突起部２４を利用して仮に保持させておくことができて、前記した実施の形態の場合と同様に患部に貼り薬２０，２０ａ，２０ｂをそれぞれ貼ることができるほかに、押付台板１８と背面板２７との間に形成した空間部２８を、収納部として用いることができて、必要量の貼り薬２０，２０ａ，２０ｂを予備として空間部２８に収納し、蓋３０を閉じておくことにより、容器としても使用することができ、使用時には、蓋３０を開けて内部から必要な貼り薬を取り出すだけで使用することができる。これにより、直ちに使用することができると共に、貼り薬を別の保管場所から探して来る必要もなくなり、利便性が更に向上する。
【００２７】
なお、本考案は、上記実施の形態のみに限定されるものではなく、たとえば図１（イ）（ロ）（ハ）〜図４（イ）（ロ）（ハ）に示す実施の形態、図５（イ）（ロ）に示す実施の形態では、押付台板１８には、貼り薬保持部とした面ファスナ２１のほかに、切欠部２２，２３と突起部２４を設けたものとして示してあるが、貼り薬保持部として面ファスナ２１のみを設けるようにしてもよく、又、該貼り薬保持部２１を設けることなく、切欠部２２と２３の一方又は双方を設けるようにしてもよいこと、面ファスナ２１は図１（イ）（ロ）、図２、図３に二点鎖線で示す如く延長させて設けるようにしてもよいこと、更に、取手部１９は、押付台板１８や背面版２７の両端部に取り付けた場合を示したが、押付台板１８が円弧状に湾曲形成されていて且つ押付台板１８が変形し難いものであれば、押付台板１８の裏面側の中央部分に設けるようにしてもよいこと、その他本考案の要旨を逸脱しない範囲内で種々変更を加え得ることは勿論である。
【図面の簡単な説明】
【００２８】
【図１】本考案の貼り薬貼付器の実施の一形態を示すもので、（イ）は正面から見た斜視図、（ロ）は（イ）の側面図、（ハ）は（イ）のＡ−Ａ矢視断面図である。
【図２】本考案の貼り薬貼付器の実施の一形態を示す背面図である。
【図３】本考案の貼り薬貼付器の実施の一形態における押付台板を水平状態に展開した正面図である。
【図４】本考案の貼り薬貼付器の使用状態の一例を示すもので、（イ）は正面図、（ロ）（ハ）は（イ）のＢ−Ｂ方向からのサイズの異なる貼り薬を保持した状態を示す押付台板の断面図である。
【図５】本考案の貼り薬貼付器の実施の他の形態を示すもので、（イ）は正面からの斜視図、（ロ）は（イ）のＣ−Ｃ方向からの切断側面図である。
【図６】従来の貼り薬を貼るための装置の一例を示す図である。
【図７】従来の貼り薬を貼るための装置の他の例を示す図である。
【図８】図７で示す装置を用いて背中等の患部に貼り付ける状態を示す図である。
【図９】従来の貼り薬を貼るための装置の更に他の例を示す図である。
【符号の説明】
【００２９】
１８  押付台板
１９  取手部
２０，２０ａ，２０ｂ  貼り薬
２１  貼り薬保持部（面ファスナ）
２２  切欠部（貼り薬保持部）
２３  切欠部（貼り薬保持部）
２４  突起部（貼り薬保持部）
２６  貼付器本体
【図１】
0003107535.tif 000003
【図２】
0003107535.tif 000004
【図３】
0003107535.tif 000005
【図４】
0003107535.tif 000006
【図５】
0003107535.tif 000007
【図６】
0003107535.tif 000008
【図７】
0003107535.tif 000009
【図８】
0003107535.tif 000010
【図９】
0003107535.tif 000011